(57)【要約】      （修正有）【課題】箸袋やスプーン・フォーク等の包装用袋そのものをナプキン素材で製作し、箸やスプーン・フォーク等を取り出した後は包装用袋そのものをナプキンとして利用することができるようにするとともに、表面には店名やメーカ名、使用方法その他のメッセージを印刷することを可能とした紙ナプキン兼箸、スプーン類の包装用袋を提供する。【解決手段】表面には印刷可能な紙質からなる印刷層１２を、また裏面には肌触りのよい紙質からなるナプキン層１３を備えた包装紙を用い、これをナプキン層を内側にして１回折り畳んで紙ナプキン兼箸、スプーン類の包装用袋を構成し、必要な側辺を易剥離性の接着剤での接着構造としたり、ミシン目等を形成して、開封しやすい構造とする。【選択図】図１
0003149177.tif 000002
【実用新案登録請求の範囲】
【請求項１】
表面には印刷可能な紙質からなる印刷層を、また裏面には肌触りのよい紙質からなるナプキン層を備えた包装紙を用い、これをナプキン層を内側にして１回折り畳み、必要な側辺を易剥離性の接着剤での接着構造としたり、ミシン目等を形成して、開封しやすい構造としたことを特徴とする紙ナプキン兼箸、スプーン類の包装用袋。
【請求項２】
前記ナプキン層が、抗菌処理を施されていることを特徴とする請求項１記載の紙ナプキン兼箸、スプーン類の包装用袋。
【請求項３】
前記二つ折りされた包装紙を筒状とし、またその長さ方向の一辺を開放するとともに、該開口部の一方の側の包装紙を斜めに切り欠いたことを特徴とする請求項１記載の紙ナプキン兼箸、スプーン類の包装用袋。
【考案の詳細な説明】
【技術分野】
【０００１】
この考案は、食事後に口を拭うことができる紙ナプキン兼箸、スプーン類の包装用袋に関する。
【背景技術】
【０００２】
従来の箸袋やスプーン・フォーク等の包装用袋は、１枚の包装紙を折り畳んでその内部に箸やスプーン・フォーク等を収納するようになっている。
また、箸やスプーン・フォーク等とともに、水分を含ませた紙ナプキンもビニール袋に入れて食卓に提供されるのが通例である。
【０００３】
このように箸やスプーン・フォーク等と紙ナプキンとを別々に提供するのは効率が悪いため、単に箸袋やスプーン・フォーク等の包装用袋に紙ナプキンを収納することが従来から行なわれている。
さらに、箸袋やスプーン・フォーク等の包装用袋そのものをナプキン素材で製作し、箸やスプーン・フォーク等を取り出した後は包装用袋そのものをナプキンとして利用するという提案もなされてきている。
例えば、実開昭６１−１１８４７５号公報（特許文献１参照）には、ナプキン材によって箸を包装し、箸を取り出した後、ナプキンとして利用するようにした箸包みが示されている。
また、実開昭６３−３４０７７号公報（特許文献２参照）には、箸袋とナプキンとが一体になったナプキン付き箸袋が示されている。
実用新案登録第３００５３００号公報（特許文献３参照）には、一枚のナプキン紙を１回又は複数回同方向に折畳み、最後に折畳み方向と直角に折返して重なる二つの紙片Ａ，Ｂの開放した二つの側辺の一方を接着し、二つの紙片の間に二辺が閉じた箸、スプーン等の挿入部を形成した食卓用紙ナプキン兼用箸、スプーン等のカバーが示されている。
【特許文献１】実開昭６１−１１８４７５号
【特許文献２】実開昭６３−３４０７７号
【特許文献３】実用新案登録第３００５３００号公報
【考案の開示】
【考案が解決しようとする課題】
【０００４】
しかしながら、包装用袋そのものをナプキン素材で製作した場合には、その表面には店名やメーカ名、使用方法その他のメッセージを印刷することができないため、往々にして箸袋やスプーン・フォーク等の包装用袋に紙ナプキンを収納することが行なわれていたように思われる。
【０００５】
そこでこの考案は、箸袋やスプーン・フォーク等の包装用袋そのものをナプキン素材で製作し、箸やスプーン・フォーク等を取り出した後は包装用袋そのものをナプキンとして利用することができるようにするとともに、表面には店名やメーカ名、使用方法その他のメッセージを印刷することを可能とした紙ナプキン兼箸、スプーン類の包装用袋を提供することを目的とするものである。
【課題を解決するための手段】
【０００６】
すなわちこの考案の紙ナプキン兼箸、スプーン類の包装用袋は、表面には印刷可能な紙質からなる印刷層を、また裏面には肌触りのよい紙質からなるナプキン層を備えた包装紙を用い、これをナプキン層を内側にして１回折り畳み、必要な側辺を易剥離性の接着剤での接着構造としたり、ミシン目等を形成して、開封しやすい構造としたことを特徴とするものである。
【０００７】
この考案の紙ナプキン兼箸、スプーン類の包装用袋は、前記ナプキン層が、抗菌処理を施されていることをも特徴とするものである。
【０００８】
この考案の紙ナプキン兼箸、スプーン類の包装用袋は、前記二つ折りされた包装紙を筒状とし、またその長さ方向の一辺を開放するとともに、該開口部の一方の側の包装紙を斜めに切り欠いたことをも特徴とするものである。
【考案の効果】
【０００９】
この考案の紙ナプキン兼箸、スプーン類の包装用袋を使用することにより、食後はこの包装用袋で口を拭えばよいため、食卓のナプキンスタンドに立てて入れる紙ナプキンを省略できる。
そして、包装用袋に箸を入れて食卓にセットすると、従来、使用していた箸袋が不要になる。もちろん、スプーン、フォーク、ナイフを包装用袋に入れて食卓にセットすると、それらに空中の雑菌やごみが付着するのを防止でき、衛生的である。
【００１０】
また、必要な側辺を開封しやすい接着剤にて接着してあるので、箸やスプーン等を当該側辺に向けて傾けることによって簡単に剥がして開封することができ、しかも当該部分が破損することもないために、包装用袋の全体をナプキンとして無駄なく使用することができる。
【００１１】
さらに、包装用袋の表面には店名やメーカ名、使用方法その他のメッセージを印刷することができ、付加価値の高い紙ナプキン兼箸、スプーン類の包装用袋を提供することが可能となった。
前記包装用袋を構成する、表面の印刷可能な紙質からなる印刷層と裏面の肌触りのよい紙質からなるナプキン層とは、通常のラミネートフィルムやラミネート紙を製造する場合と同様の方法で製造することが可能であり、種々の素材を目的に応じて適宜組み合わせて使用することができる。
また、包装用袋の製造に際し、ラミネートする層を何層とするかも適宜決定することが可能である。
【考案を実施するための最良の形態】
【００１２】
以下、図面に基いてこの考案の紙ナプキン兼箸、スプーン類の包装用袋の実施の形態を詳細に説明する。
図１および図２はこの考案の紙ナプキン兼箸、スプーン類の包装用袋の１実施例を示すものであり、図１（ａ）は包装用袋である箸袋に箸を収納した状態の正面図、図１（ｂ）は箸を上から斜めに傾けて箸袋の側辺から剥がして開封していく段階の正面図、図１（ｃ）はほぼ開封し終わった段階の正面図、図２はその展開図である。
図３および図４はこの考案の紙ナプキン兼箸、スプーン類の包装用袋の他の実施例を示すものであり、図３（ａ）はスプーン用の包装用袋にスプーンを収納した状態の正面図、図３（ｂ）はスプーンの柄を上から斜めに傾けて包装用袋の側辺から剥がして開封していく段階の正面図、図３（ｃ）はほぼ開封し終わった段階の正面図、図４はその展開図である。
図５および図６この考案の紙ナプキン兼箸、スプーン類の包装用袋の別の実施例を示すものであり、図５（ａ）は包装用袋の正面図、図５（ｂ）はその背面図、図６はその展開図である。
【００１３】
図１および図２はこの考案の紙ナプキン兼箸、スプーン類の包装用袋を箸袋に適用した実施例を示すものであり、図２の展開図に示すように、包装紙１０はその表面に印刷可能な紙質からなる印刷層１２を、また裏面に肌触りのよい紙質からなるナプキン層１３を備えている。
前記印刷層１２としては通常の印刷用紙を用いることができ、ナプキン層１３としては肌触りのよい軟質素材を用いることが望ましい。例えばナプキン層１３をさらに２層の積層構造とし、表面層に湿式不織布・バージンパルプ・レーヨン・ポリエステルを、吸収層にパルプ吸収紙・綿状パルプ・ポリマー等を使用することができる。もちろん、印刷層１２やナプキン層１３の素材は品質やコスト等を勘案して適宜決定することができる。
前記表面の印刷可能な紙質からなる印刷層１２と裏面の肌触りのよい紙質からなるナプキン層１３とは、通常のラミネートフィルムやラミネート紙を製造する場合と同様の方法で製造することが可能であり、種々の素材を目的に応じて適宜組み合わせて箸袋１１を製造することができる。
また、箸袋１１の製造に際し、前記ラミネートする層を何層とするかも適宜決定することが可能である。
【００１４】
ちなみに、この考案の紙ナプキン兼箸、スプーン類の包装用袋においては、前記ナプキン層１３には、抗菌処理を施しておくことが望ましい。このような抗菌処理としては、ナプキン層１３を抗菌剤を配合した抗菌液に浸漬したり、ナプキン層１３の表面に抗菌剤をスプレイすること等が挙げられる。
【００１５】
次に、包装紙１０をナプキン層１３を内側にして１回折り畳み、二つ折りとして筒状とした周縁を接着剤によって接着するとともに、筒状の一端を開放して開口部１４を形成しておく。その際、前記開口部１４の一方の側の包装紙１０を斜めに切り欠いておくことができる。
その際、包装紙１０の必要な側辺１５を易剥離性の接着剤での接着構造としたり、ミシン目等を形成して、開封しやすい構造としておくことが望ましい。
【００１６】
この実施例の箸袋１１の使用に際しては、図１（ａ）のように開口部１４から箸２１を収納した段階で流通過程に置かれた箸袋１１を飲食の際に使用するにあたり、使用者は箸袋１１の一方の側辺側に形成されたつまみ１６を片方の手で持ち、開口部１４の斜めの切欠き部１７から露出している箸２１をもう一方の手で持って、箸２１の上部をつまみ１６の反対側に押し倒す。
すると、図１（ｂ）のように開口部１４の斜めの切欠き部１７の下端の側から、開封しやすい構造にしてある側辺１５が下向きに剥がれていき、図１（ｃ）のように側辺１５の下端まで無理なく開封される。
【００１７】
そのまま、図２のように全体を展開させると箸袋１１は１枚のシートとなるので、ナプキン層１３を用いてナプキンあるいはおしぼりとして、口を拭いたり手を拭くために使用することができる。
このように箸袋１１はナプキンあるいはおしぼりとして使用することができるので、単に箸袋１１として箸２１を取り出した段階で廃棄されることがなく、環境にやさしい箸袋１１とすることができる。
【００１８】
図３および図４の実施例は、この考案の紙ナプキン兼箸、スプーン類の包装用袋をスプーン用の包装のために適用した実施例を示す。
この実施例の紙ナプキン兼箸、スプーン類の包装用袋３１は、図３（ａ）のように側辺全体が密閉されているが、開口部１４や切欠き部１７が形成されていないことを除けば、前記第１の実施例とほぼ同一である。
この場合、スプーン３２の取っ手の先端が尖っているので、つまみ３４を手で持ってスプーン３１の先端で包装用袋３１の隅を押し開くようにすれば，図３（ｂ）のように簡単に押し剥がすことができる。
そして、そのまま包装用袋３１の側辺３３を押し開いていけば、図３（ｃ）のように簡単に開封することができる。
【００１９】
そのまま、図４のように全体を展開させると包装用袋３１は印刷層２とナプキン層１３の積層構造の１枚のシートとなるので、ナプキン層１３を用いてナプキンあるいはおしぼりとして、口を拭いたり手を拭くために使用することができる。
【００２０】
図５および図６の実施例は、この考案の紙ナプキン兼箸、スプーン類の包装用袋を爪楊枝や小さじ、その他の食器具の包装のために適用した実施例を示す。
この実施例の紙ナプキン兼箸、スプーン類の包装用袋４１は側辺全体が密閉されており、長辺が短いサイズであることを除けば、前記第２の実施例とほぼ同一である。
図５（ａ）はその表面を、また図５（ｂ）はその裏面を示し、適宜店名やメーカ名、使用方法その他のメッセージが印刷されている。
【００２１】
そのまま、図６のように全体を展開させると包装用袋４１は１枚のシートとなるので、ナプキン層を用いてナプキンあるいはおしぼりとして、口を拭いたり手を拭くために使用することができる。
【産業上の利用可能性】
【００２２】
この考案のこの考案の紙ナプキン兼箸、スプーン類の包装用袋は、箸やスプーン、フォーク、ナイフのみならず、種々の食器具の包装に適用することが可能であり、廃棄物を少なくすることができて環境にやさしい包装用袋を提供することができる。
【図面の簡単な説明】
【００２３】
【図１】（ａ）は包装用袋である箸袋に箸を収納した状態の正面図、（ｂ）は箸を上から斜めに傾けて箸袋の側辺から剥がして開封していく段階の正面図、（ｃ）はほぼ開封し終わった段階の正面図である。
【図２】その展開図である。
【図３】（ａ）はスプーン用の包装用袋にスプーンを収納した状態の正面図、（ｂ）はスプーンの柄を上から斜めに傾けて包装用袋の側辺から剥がして開封していく段階の正面図、（ｃ）はほぼ開封し終わった段階の正面図である。
【図４】その展開図である。
【図５】（ａ）は包装用袋の正面図、（ｂ）はその背面図である。
【図６】その展開図である。
【符号の説明】
【００２４】
１０  包装紙
１１  箸袋
１２  印刷層
１３  ナプキン層
１４  開口部
１５  側辺
１６  つまみ
１７  切欠き部
２１  箸
３１  包装用袋
３２  スプーン
３３  側辺
３４  つまみ
４１  包装用袋
【図１】
0003149177.tif 000003
【図２】
0003149177.tif 000004
【図３】
0003149177.tif 000005
【図４】
0003149177.tif 000006
【図５】
0003149177.tif 000007
【図６】
0003149177.tif 000008